(57)【要約】【課題】ＩＴＯからなる透明電極を除去して、パネルの製造原価を減少させ、ディスプレイ映像の点滅及び輝点の発生を改善することができるプラズマディスプレイ装置を提供することにある。【解決手段】本発明のプラズマディスプレイ装置は、上部基板と、前記上部基板に形成される第１電極及び第２電極と、上部基板と対向して配置される下部基板と、下部基板上に形成される第３電極及び隔壁と、を含んで構成され、隔壁と重なるように、前記上部基板に形成されるブラックマトリックスと、前記ブラックマトリックス上に前記第３電極と交差する方向に形成された第４電極と、を含み、前記第１、２電極のうち、少なくとも１つは、単一層（ｏｎｅ  ｌａｙｅｒ）で形成されることを特徴とする。【選択図】図２
2007324119.tif 000002
【特許請求の範囲】
【請求項１】
上部基板と、前記上部基板に形成される複数の第１電極及び第２電極と、前記上部基板と対向して配置される下部基板と、前記下部基板に形成される複数の第３電極及び隔壁と、を含んで構成されるプラズマディスプレイ装置において、
前記隔壁と重なるように、前記上部基板に形成されるブラックマトリックスと、
前記第３電極と交差する方向に前記ブラックマトリックス上に形成された第４電極と、を含み、
前記複数の第１、２電極のうち、少なくとも１つは、単一層（ｏｎｅ  ｌａｙｅｒ）で形成されることを特徴とするプラズマディスプレイ装置。
【請求項２】
前記上部基板に形成された誘電体層をさらに含み、
前記複数の第１、２電極のうち、少なくとも１つは、
前記誘電体層より色が暗いことを特徴とする請求項１に記載のプラズマディスプレイ装置。
【請求項３】
前記第４電極は、フローティングされるか、又は接地されることを特徴とする請求項１に記載のプラズマディスプレイ装置。
【請求項４】
前記第４電極は、前記隔壁と重なることを特徴とする請求項１に記載のプラズマディスプレイ装置。
【請求項５】
前記第４電極は、
前記ブラックマトリックスに接して形成されることを特徴とする請求項１に記載のプラズマディスプレイ装置。
【請求項６】
前記第４電極の幅は、
前記ブラックマトリックスの幅より小さいことを特徴とする請求項１に記載のプラズマディスプレイ装置。
【請求項７】
前記第４電極の幅は、
前記ブラックマトリックスの幅より１０μｍ〜２０μｍ分だけ小さいことを特徴とする請求項１に記載のプラズマディスプレイ装置。
【請求項８】
前記複数の第１、２電極のうちの何れか１つと前記第４電極との間の間隔は、４０μｍ〜６０μｍであることを特徴とする請求項１に記載のプラズマディスプレイ装置。
【請求項９】
前記ブラックマトリックスは、
前記複数の第１、２電極のうちの何れか１つと前記上部基板との間に形成されることを特徴とする請求項１に記載のプラズマディスプレイ装置。
【請求項１０】
前記第４電極は、
２つ以上の電極ラインで構成されることを特徴とする請求項１に記載のプラズマディスプレイ装置。
【請求項１１】
前記第１、２電極に正極性電圧と負極性電圧が交互に印加されることを特徴とする請求項１に記載のプラズマディスプレイ装置。
【請求項１２】
前記第１、２電極のうちの何れか１つに正極性電圧が供給される間、前記第４電極に負極性電圧が供給されることを特徴とする請求項１に記載のプラズマディスプレイ装置。
【請求項１３】
前記第１、２電極のうちの何れか１つに負極性電圧が供給される間、前記第４電極に正極性電圧が供給されることを特徴とする請求項１に記載のプラズマディスプレイ装置。
【請求項１４】
放電セルを初期化させるためのリセット（ｒｅｓｅｔ）区間の前に、
前記第１、２電極のうちの何れか１つに第１電圧が供給され、前記第１電圧が供給される間、前記第４電極に前記第１電圧と極性の異なる第２電圧が供給されることを特徴とする請求項１に記載のプラズマディスプレイ装置。
【請求項１５】
上部基板と、前記上部基板に形成される複数の第１電極及び第２電極と、前記上部基板と対向して配置される下部基板と、前記下部基板に形成される複数の第３電極及び隔壁と、を含んで構成されるプラズマディスプレイ装置において、
前記隔壁と重なるように、前記上部基板に形成されるブラックマトリックスと、
前記第３電極と交差する方向に前記ブラックマトリックス上に形成された第４電極、とを含み、
前記複数の第１、２電極のうち、少なくとも１つは単一層で形成され、
前記第３電極と交差する方向に形成されたライン部と、
前記ライン部から突出した突出部と、を含むことを特徴とするプラズマディスプレイ装置。
【請求項１６】
前記第４電極の幅は、
前記ブラックマトリックスの幅より１０μｍ〜２０μｍ分だけ小さいことを特徴とする請求項１５に記載のプラズマディスプレイ装置。
【請求項１７】
前記複数の第１、２電極のうちの何れか１つと前記第４電極との間の間隔は、４０μｍ〜６０μｍであることを特徴とする請求項１５に記載のプラズマディスプレイ装置。
【請求項１８】
前記第１、２電極に正極性電圧と負極性電圧が交互に印加されることを特徴とする請求項１５に記載のプラズマディスプレイ装置。
【請求項１９】
前記第１、２電極のうちの何れか１つに正極性電圧が供給される間、前記第４電極に負極性電圧が供給されることを特徴とする請求項１５に記載のプラズマディスプレイ装置。
【請求項２０】
前記第１、２電極のうちの何れか１つに負極性電圧が供給される間、前記第４電極に正極性電圧が供給されることを特徴とする請求項１５に記載のプラズマディスプレイ装置。
【発明の詳細な説明】
【技術分野】
【０００１】
本発明は、プラズマディスプレイ装置に関し、さらに詳細には、プラズマディスプレイ装置に備えられるパネルに関する。
【背景技術】
【０００２】
ラズマディスプレイパネルは、上部基板と下部基板との間に形成された隔壁が１つの単位セルをなすものであって、各セル内には、ネオン（Ｎｅ）、ヘリウム（Ｈｅ）又はネオン及びヘリウムの混合気体（Ｎｅ＋Ｈｅ）のような主放電気体と少量のキセノンを含有する不活性ガスとが充填されている。高周波電圧により放電される際に、不活性ガスは、真空紫外線（Ｖａｃｕｕｍ  Ｕｌｔｒａ  ｖｉｏｌｅｔｒａｙｓ）を発生し、隔壁の間に形成された蛍光体を発光させることにより画像が具現される。このようなプラズマディスプレイパネルは、薄くて軽い構成が可能なため、次世代表示装置として注目されつつある。
【０００３】
図１は、一般的なプラズマディスプレイパネルの構造を示した図である。図１に示すように、プラズマディスプレイパネルは、画像がディスプレイされる表示面である上部基板１０１上にスキャン電極１０２とサステイン電極１０３とが対をなして形成された複数の維持電極対が配列された上部パネル１００、及び背面をなす下部基板１１１上に複数の維持電極対と交差するように、複数のアドレス電極１１３が配列された下部パネル１１０が一定の距離を隔てて平行に結合される。
【０００４】
上部パネル１００は、透明なＩＴＯ（Ｉｎｄｉｕｍ  Ｔｉｎ  Ｏｘｉｄｅ）で形成された透明電極１０２ａ、１０３ａとバス電極１０２ｂ、１０３ｂで備えられたスキャン電極１０２及びサステイン電極１０３が対をなして含まれる。スキャン電極１０２及びサステイン電極１０３は、上部誘電体層１０４により覆われ、上部誘電体層１０４の上には、保護層１０５が形成される。
【０００５】
下部パネル１１０は、放電セルを区画するための隔壁１１２が含まれる。また、複数のアドレス電極１１３が隔壁１１２に対して平行に配置される。アドレス電極１１３の上には、Ｒ（Ｒｅｄ）、Ｇ（Ｇｒｅｅｎ）、Ｂ（Ｂｌｕｅ）蛍光体１１４が塗布される。アドレス電極１１３と蛍光体１１４との間には、アドレス誘電体層１１５が形成される。
【０００６】
一方、従来のプラズマディスプレイパネルのスキャン電極１１又はサステイン電極１２（図示せず）を構成する透明電極１１ａ、１２ａ（図示せず）は、高価のＩＴＯからなる。透明電極１１ａ、１２ａは、プラズマディスプレイパネルの製造原価を上昇させる原因となっている。したがって、最近では、製造費用を減らし、かつユーザが視聴するのに充分な視感特性及び駆動特性などを確保することができるプラズマディスプレイパネルを製造することに主眼をおいている。
【発明の開示】
【発明が解決しようとする課題】
【０００７】
本発明は、上述の問題点に鑑みてなされたもので、その目的は、プラズマディスプレイ装置に備えられるパネルにおいて、ＩＴＯからなる透明電極を除去して、パネルの製造原価を減少させ、ディスプレイ映像の点滅及び輝点の発生を改善することができるプラズマディスプレイ装置を提供することにある。
【課題を解決するための手段】
【０００８】
上記の目的を達成すべく、本発明に係るプラズマディスプレイ装置は、上部基板と、前記上部基板に形成される複数の第１電極及び第２電極と、前記上部基板と対向して配置される下部基板と、前記下部基板に形成される複数の第３電極及び隔壁と、を含んで構成されるプラズマディスプレイ装置であって、前記隔壁と重なるように、前記上部基板に形成されるブラックマトリックスと、前記第３電極と交差する方向に前記ブラックマトリックス上に形成された第４電極と、を含み、前記複数の第１、２電極のうち、少なくとも１つは、単一層（ｏｎｅ  ｌａｙｅｒ）で形成されることを特徴とする。
【０００９】
また、本発明に係る他のプラズマディスプレイ装置は、上部基板と、前記上部基板に形成される複数の第１電極及び第２電極と、前記上部基板と対向して配置される下部基板と、前記下部基板に形成される複数の第３電極及び隔壁と、を含んで構成されるプラズマディスプレイ装置であって、前記隔壁と重なるように、前記上部基板に形成されるブラックマトリックスと、前記第３電極と交差する方向に前記ブラックマトリックス上に形成された第４電極、とを含み、前記複数の第１、２電極のうち、少なくとも１つは単一層で形成され、前記第３電極と交差する方向に形成されたライン部と、前記ライン部から突出した突出部と、を含むことを特徴とする。
【発明の効果】
【００１０】
本発明に係るプラズマディスプレイ装置に備えられるパネルによると、ＩＴＯからなる透明電極を除去して、プラズマディスプレイパネルの製造原価を減少させることができ、スキャン電極又はサステイン電極ラインから放電セルの中心方向又はその反対方向に突出する突出電極を形成させることによって、放電開始電圧を下げ、放電セル内の放電拡散効率を上げることができる。また、隔壁に重なるように形成されたブラックマトリックス上にフローティング電極を形成させて、フローティング電極と維持電極間の放電を発生させることによって、維持電極間のサステイン放電の初期放電開始電圧を下げることができる。
【発明を実施するための最良の形態】
【００１１】
以下、添付した図２〜図１７Ｂを参照して、本発明に係るプラズマディスプレイ装置について詳細に説明する。
【００１２】
以下、添付された図面を参照して、本発明に係るプラズマディスプレイ装置について詳細に説明する。図２は、本発明に係るプラズマディスプレイ装置に備えられるパネル構造に対する一実施の形態を斜視図で示したものである。
【００１３】
図２に示すように、プラズマディスプレイパネルは、上部基板１０上に形成される維持電極対であるスキャン電極１１及びサステイン電極１２、下部基板２０上に形成されるアドレス電極２２を備える。
【００１４】
本発明に係るプラズマディスプレイパネルにおいて、維持電極対１１、１２は、図１に示す従来の維持電極対とは異なり、不透明な金属電極のみからなる。従来の透明電極の材質であるＩＴＯは使用せず、従来のバス電極の材質である銀（Ａｇ）、銅（Ｃｕ）又はクロム（Ｃｒ）などを使用して、維持電極対１１、１２を形成する。これにより、プラズマディスプレイパネルの製造費用を下げることができる。すなわち、本発明に係るプラズマディスプレイパネルの維持電極対１１、１２それぞれは、従来のＩＴＯ電極を含まず、バス電極１つの単一層（ｏｎｅ  ｌａｙｅｒ）からなることが好ましい。
【００１５】
例えば、本発明の実施の形態に係る維持電極対１１、１２それぞれは、銀で形成されることが好ましく、当該銀は、感光性の性質を有することが好ましい。また、本発明の実施の形態に係る維持電極対１１、１２それぞれは、上部基板１０に形成される上部誘電体層１３より色が暗く、光の透過度が低く、光吸収率が高い。
【００１６】
スキャン電極１１とサステイン電極１２が並んで形成された上部基板１０には、上部誘電体層１３と保護膜１４が積層される。上部誘電体層１３には、ガス放電イオン化ガス（プラズマ）が発生した荷電粒子が蓄積される。保護膜１４は、ガス放電の際に発生した荷電粒子のスパッタリングから上部誘電体層１３を保護し、２次電子の放出効率を上げる。また、保護膜１４は、通常酸化マグネシウム（ＭｇＯ）が利用される。
【００１７】
アドレス電極２２は、スキャン電極１１及びサステイン電極１２と交差する方向に形成される。また、アドレス電極２２が形成された下部基板２０上には、下部誘電体層２４と隔壁２１が形成される。
【００１８】
下部誘電体層２４と隔壁２１の表面には、蛍光体層２３が形成される。隔壁２１は、縦隔壁２１ａと横隔壁２１ｂが閉鎖型で形成され、放電セルを物理的に区分し、放電により生成された紫外線と可視光が隣接した放電セルに漏れるのを防止する。
【００１９】
蛍光体層２３は、ガス放電時発生した紫外線により発光して、赤色（Ｒ）、緑色（Ｇ）又は青色（Ｂ）のうちの何れか１つの可視光を発生する。ここで、上部／下部基板１０、２０と隔壁２１との間に設けられた放電空間には、放電のためのＨｅ＋Ｘｅ、Ｎｅ＋Ｘｅ及びＨｅ＋Ｎｅ＋Ｘｅなどの不活性混合ガスが注入される。
【００２０】
放電セルは、Ｒ（Ｒｅｄ）、Ｇ（Ｇｒｅｅｎ）、Ｂ（Ｂｌｕｅ）それぞれの蛍光体層２３の幅が互いに同じ対称構造であるか、ピッチ（ｐｉｔｃｈ）が互いに異なる非対称構造であってもよい。
【００２１】
Ｒ（Ｒｅｄ）、Ｇ（Ｇｒｅｅｎ）、Ｂ（Ｂｌｕｅ）それぞれの蛍光体層２３は、幅（Ｗｉｄｔｈ）が実質的に同一又は互いに異なり得る。Ｒ、Ｇ、Ｂ放電セルそれぞれでの蛍光体層２３の幅が互いに異なる場合には、Ｇ又はＢ放電セルでの蛍光体層２３の幅が、Ｒ放電セルでの蛍光体層２３の幅より大きいことができる。
【００２２】
また、上部基板１０の上には、外部から発生する外部光を吸収して反射を減らす光遮断の機能と上部基板１０のピュリティ（Ｐｕｒｉｔｙ）及びコントラストを向上させる機能を果たすブラックマトリックス（Ｂｌａｃｋ  Ｍａｔｒｉｘ、ＢＭ）１５、１６、１７が配列される。
【００２３】
下部基板２０に形成される横隔壁２１ｂと重なる位置に形成される第１ブラックマトリックス１５と、上部基板１０と維持電極対１１、１２との間に形成される第２ブラックマトリックス１６、１７とで構成される。図２に示すように、ブラックマトリックスは、第１ブラックマトリックス１５と第２ブラックマトリックス１６、１７に分離されて形成される分離型構造であってもよく、図２とは異なり、一体型構造を有してもよい。
【００２４】
一方、ブラックマトリックスは、形成過程で上述のブラック層と同時に形成されて物理的に接続されてもよく、他の時点に形成されて物理的に接続されなくてもよい。また、物理的に接続されて形成される場合、ブラックマトリックスとブラック層は、同じ材質で形成されるが、物理的に分離されて形成される場合には、他の材質で形成される。
【００２５】
また、図２に示すパネルの隔壁構造は、縦隔壁２１ａと横隔壁２１ｂにより放電セルが閉鎖型構造を有するクローズタイプ（Ｃｌｏｓｅ  Ｔｙｐｅ）を示しているが、縦隔壁のみを含むストライプタイプ（Ｓｔｒｉｐｅ  Ｔｙｐｅ）又は縦隔壁上に所定の間隔を有して突出部が形成されたフィッシュボーン（Ｆｉｓｈ  Ｂｏｎｅ）などの構造であってもよい。
【００２６】
また、本発明の一実施の形態は、図２に示す隔壁の構造のみでなく、多様な形状の隔壁の構造であってもよい。例えば、縦隔壁２１ａと横隔壁２１ａの高さが異なる差別型隔壁構造、縦隔壁２１ａ又は横隔壁２１ｂのうち、１つ以上に排気通路として使用可能なチャネルが形成されたチャネル型隔壁構造、縦隔壁２１ａ又は横隔壁２１ｂのうち、１つ以上に溝（Ｈｏｌｌｏｗ）が形成された溝型隔壁構造などであってもよい。ここで、差別型隔壁構造の場合には、横隔壁２１ｂの高さがさらに高いことが好ましく、チャネル型隔壁構造や溝型隔壁構造の場合には、横隔壁２１ｂにチャネルが形成されるか、又は溝が形成されることが好ましい。
【００２７】
一方、本発明の一実施の形態では、Ｒ、Ｇ及びＢ放電セルそれぞれが同一線上に配列されるものと図示及び説明されているが、他の形状に配列されてもよい。例えば、Ｒ、Ｇ及びＢ放電セルが三角形状に配列されるデルタ（Ｄｅｌｔａ）タイプの配列であってもよい。また、放電セルの形状も四角形状だけでなく、五角形、六角形などの多様な多角形状もあってもよい。
【００２８】
また、縦隔壁２１ａの幅と横隔壁２１ｂの幅は異なってもよく、このような隔壁の幅は、上幅又は下幅であってもよい。また、横隔壁２１ｂの幅が縦隔壁２１ａの幅の１．０倍〜５．０倍であることが好ましい。
【００２９】
一方、本発明の一実施の形態に係るプラズマディスプレイパネルでのＲ、Ｇ及びＢ放電セルのピッチは、実質的に同一であっても良く、Ｒ、Ｇ及びＢ放電セルでの色温度を合せるために、Ｒ、Ｇ及びＢ放電セルのピッチを異にしてもよい。この場合、Ｒ、Ｇ及びＢ放電セル別にピッチを全て異にしてもよいが、例えば、Ｒ、Ｇ及びＢ放電セルのうち、１つの色合いを表現する放電セルのピッチのみを異にしてもよい。例えば、Ｒ放電セルのピッチが最も小さく、Ｇ及びＢ放電セルのピッチをＲ放電セルのピッチより大きくしてもよい。
【００３０】
また、下部基板２０上に形成されるアドレス電極は、幅や厚さが実質的に一定であっても良いが、放電セルの内部での幅や厚さが放電セルの外部での幅や厚さと異なっても良い。例えば、放電セルの内部での幅や厚さが、放電セルの外部でのそれより広くまたは厚くてもよい。
【００３１】
隔壁２１の材料は、鉛（Ｐｂ）を使用しないか、又は使用しても、鉛（Ｐｂ）の含有率がプラズマディスプレイパネルの総重量の０．１重量％又は１０００ＰＰＭ（Ｐａｒｔｓ  Ｐｅｒ  Ｍｉｌｌｉｏｎ）以下になるようにすることが好ましい。
【００３２】
ここで、鉛成分の全体含有量を１０００ＰＰＭ以下にする場合は、プラズマディスプレイパネルの重量に対して、鉛の含量が１０００ＰＰＭ以下になるようにすればよい。
【００３３】
又は、プラズマディスプレイパネルの特定構成要素での鉛成分の含有量を１０００ＰＰＭ以下にしてもよい。例えば、隔壁の鉛成分、誘電体層の鉛成分又は電極での鉛成分の含有量をそれぞれの構成要素（隔壁、誘電体層及び電極）の重量対比１０００ＰＰＭ以下になるようにすればよい。
【００３４】
また、プラズマディスプレイパネルの隔壁、誘電体層、電極、蛍光体層などの全ての構成要素の鉛成分の含有量をプラズマディスプレイパネルの重量対比それぞれ１０００ＰＰＭ以下にしてもよい。このように、鉛成分の全体含有量を１０００ＰＰＭ以下に設定する理由は、鉛成分は、人体に悪影響を及ぼす可能性があるためである。
【００３５】
本発明の実施の形態に係るプラズマディスプレイパネルは、図２に示すように、第１ブラックマトリックス１５上に接してフローティング（ｆｌｏａｔｉｎｇ）電極１８が形成されることが好ましい。
【００３６】
フローティング電極１８とそれに隣接した維持電極対１１、１２との間に、一定電圧以上の電圧を供給すると、２つの電極間に放電が発生する。フローティング電極１８を利用した放電により、それに隣接した維持電極対１１、１２に電荷が蓄積されて、維持電極対１１、１２の放電を容易にする。
【００３７】
本発明に係るプラズマディスプレイパネルには、ＩＴＯ透明電極がないので、それによって発生する輝度の減少を補償するために、１つの放電セルをなすサステイン電極１２（Ｚ）とスキャン電極１１（Ｙ）との間の間隔が長いことが好ましい。上記の通りに、サステイン電極（Ｚ）とスキャン電極（Ｙ）との間の間隔が長くなる場合、２つの電極間の初期放電開始電圧が増加する。
【００３８】
したがって、サステイン電極（Ｚ）とスキャン電極（Ｙ）との間のサステイン放電を発生させる前に、フローティング電極１８とそれに隣接したサステイン電極（Ｚ）又はスキャン電極（Ｙ）との間に放電を起こして、電荷が蓄積されるようにすることによって、サステイン電極（Ｚ）とスキャン電極（Ｙ）との間のサステイン放電を起こすための初期放電電圧を減少させることができる。
【００３９】
フローティング電極１８は、横隔壁２１ｂと重なるように形成されることが好ましい。また、フローティング電極１８の幅は、第１ブラックマトリックス１５の幅より小さいことが好ましく、フローティング電極１８と第１ブラックマトリックス１５の幅の差は、１０μｍ〜２０μｍであることが好ましい。
【００４０】
フローティング電極１８は、フローティングされるか、又は電極間のクロストーク（ｃｒｏｓｓ−ｔａｌｋ）を防止するために接地されてもよい。また、フローティング電極１８は、放電セルの中央に位置してもよい。
【００４１】
図２に示す構造は、本発明に係るプラズマパネルの構造に対する一実施の形態に過ぎないので、本発明は、図２に示すプラズマディスプレイパネル構造に限定されない。例えば、図２では、第１ブラックマトリックス１５上に１つのフローティング電極１８が形成されているが、第１ブラックマトリックス１５上に２つ以上のフローティング電極が形成されている構造であってもよい。
【００４２】
図３Ａ〜図３Ｃは、本発明に係るプラズマディスプレイパネルの上板パネル構造に対する実施の形態を概略的に示す断面図である。図３Ａに示すように、上部基板３００上に第１ブラックマトリックス３０５、３２０と第２ブラックマトリックス３１０、３１５、３２５が形成されている。横隔壁（図示せず）に重なるように形成された第１ブラックマトリックス３０５、３２０上には、それぞれフローティング電極３４０、３４５が形成されており、第２ブラックマトリックス３１０、３１５、３２５上には、それぞれ単一層のスキャン電極（Ｙ）又はサステイン電極（Ｚ）が形成されている。
【００４３】
フローティング電極３４０、３４５の幅は、第１ブラックマトリックス３０５、３２０の幅よりは小さいことが好ましい。好ましくは、フローティング電極３４０、３４５の幅は、第１ブラックマトリックス３０５、３２０の幅より１０μｍ〜２０μｍ分だけ小さく、上記のような幅の差を有する場合、外部から発生する外部光を吸収して反射を減らし、映像のコントラストを向上させることができる。
【００４４】
フローティング電極３４０とスキャン電極（Ｙ）３３０との間に一定電圧以上の電圧が供給されると、２つの電極３３０、３４０間に放電が発生して、スキャン電極（Ｙ）３３０に電荷が蓄積される。蓄積された電荷により、スキャン電極（Ｙ）３３０とサステイン電極３５０との間の放電開始電圧が減少する。
【００４５】
上記では、フローティング電極３４０とスキャン電極（Ｙ）３３０との間に放電が発生する場合を例に挙げて説明したが、フローティング電極３４０とサステイン電極（Ｚ）３３５との間に一定電圧以上の電圧を供給して放電を発生させることもできる。
【００４６】
フローティング電極３４０、３４５とスキャン電極（Ｙ）３３０又はサステイン電極（Ｚ）３３５、３５０との間の距離は、３０μｍ〜６０μｍであることが好ましく、この場合、フローティング電極３４０、３４５と維持電極（Ｙ）３３０、３３５、３５０との間に初期放電が安定的に発生して、維持電極３３０、３３５、３５０に電荷が蓄積されることができる。
【００４７】
図３Ａに示すような構造を有するブラックマトリックス３０５、３１０、３１５、３２０、３２５、サステイン電極（Ｚ）３５０、３２５、スキャン電極（Ｙ）３３０及びフローティング電極３４０、３４５を上部基板３００上に形成する方法は、次のとおりである。まず、上部基板３００上にブラックマトリックス層を印刷し、Ａｇなどのような金属電極層を印刷した後、露光によりブラックマトリックス層と金属電極層を上部基板３００に吸着させる。上記のような方法により、露光回数を２回から１回に減らすことができる。
【００４８】
図３Ｂは、上部基板３００上に第１ブラックマトリックス３０５、３２０それぞれに２個のフローティング電極３７０、３７５、３８０、３８５を形成した場合である。なお、図３Ａを参考にして説明した内容と同じ内容は省略する。
【００４９】
図３Ｂに示すように、第１ブラックマトリックス３０５、３２０それぞれに形成された２個のフローティング電極３７０、３７５、３８０、３８５は、横隔壁（図示せず）と重なることが好ましい。また、上記のように、第１ブラックマトリックス３０５、３２０それぞれに形成されるフローティング電極の数は、３つ以上であっても良い。
【００５０】
フローティング電極３７０、３７５、３８０、３８５とそれに隣接した維持電極３６５、３５５、３６０との間の距離は、３０μｍ〜６０μｍであることが好ましく、この場合、フローティング電極３７０、３７５、３８０、３８５とそれに隣接した維持電極３６５、３５５、３６０との間に初期放電が安定的に発生して、維持電極３６５、３５５、３６０に電荷が蓄積される。
【００５１】
図３Ｃに示すように、本発明に係るプラズマディスプレイパネルは、スキャン電極（Ｙ）、サステイン電極（Ｚ）、サステイン電極（Ｚ）、スキャン電極（Ｙ）の順に電極が配置されたＹＺＺＹ構造である。この場合、スキャン電極（Ｙ）とスキャン電極（Ｙ）との間又はサステイン電極（Ｚ）とサステイン電極（Ｚ）との間にフローティング電極４１０、４１５が位置する。
【００５２】
図４は、プラズマディスプレイパネルの電極配置に対する一実施の形態を示すものであって、プラズマディスプレイパネルを構成する複数の放電セルは、図４に示すように、マトリックス形態で配置されることが好ましい。複数の放電セルは、各々スキャン電極ラインＹ１〜Ｙｍ、サステイン電極ラインＺ１〜Ｚｍ及びアドレス電極ラインＸ１〜Ｘｎの交差部に設けられる。スキャン電極ラインＹ１〜Ｙｍは、順次駆動され、サステイン電極ラインＺ１〜Ｚｍは、共通して駆動される。アドレス電極ラインＸ１〜Ｘｎは、奇数番目のラインと偶数番目のラインに分割されて駆動する。
【００５３】
図４に示す電極配置は、本発明に係るプラズマパネルの電極配置に対する一実施の形態に過ぎないので、本発明は、図４に示すプラズマディスプレイパネルの電極配置及び駆動方式に限定されない。例えば、前記スキャン電極ラインＹ１〜Ｙｍのうち、２個のスキャン電極ラインが同時に駆動されるデュアルスキャン（ｄｕａｌ  ｓｃａｎ）やダブルスキャン（ｄｏｕｂｌｅ  ｓｃａｎ）方式であってもよい。ここで、デュアルスキャン方式は、プラズマディスプレイパネルを上、下２つの領域に分けて、上部領域と下部領域それぞれに属している１つずつのスキャン電極ラインを同時に駆動する方式である。また、ダブルスキャン方式は、連続的に配置された２つのスキャン電極ラインを同時に駆動する方式である。
【００５４】
一方、図４には、アドレス電極が奇数番目の電極ラインと偶数番目の電極ラインに区分されて駆動するものと示されているが、全てのアドレス電極が区分されて駆動するのではなく、同時に駆動されてもよい。このような場合、アドレス電極駆動部は、図４に示すように、パネルの上部及び下部領域の全てに配置されず、上部や下部領域のうち、１ケ所のみに配置される。
【００５５】
図５は、上記のような構造を有する本発明に係るプラズマディスプレイパネルに対して、１つのフレームを複数のサブフィールドに分けて時分割駆動させる方法に関する一実施の形態をタイミング図で示すものである。単位フレームは、時分割階調表示を実現するために、所定の個数、例えば８個のサブフィールドＳＦ１，．．．，ＳＦ８に分割される。また、各サブフィールドＳＦ１，．．．，ＳＦ８は、リセット区間（図示せず）、アドレス区間Ａ１，．．．，Ａ８、及びサステイン区間Ｓ１，．．．，Ｓ８に分割される。
【００５６】
各アドレス区間Ａ１，．．．，Ａ８では、アドレス電極（Ｘ）に表示データ信号が供給され、各スキャン電極（Ｙ）に相応するスキャンパルスが順次供給される。
【００５７】
各サステイン区間Ｓ１，．．．，Ｓ８では、スキャン電極（Ｙ）とサステイン電極（Ｚ）にサステインパルスが交互に供給されて、アドレス区間Ａ１，．．．，Ａ８において壁電荷の形成された放電セルでサステイン放電を起こす。
【００５８】
プラズマディスプレイパネルの輝度は、単位フレームに占めるサステイン放電区間Ｓ１，．．．，Ｓ８内のサステイン放電パルスの個数に比例する。１つの画像を形成する１つのフレームが、８個のサブフィールドと２５６階調で表現される場合に、各サブフィールドには、順に１、２、４、８、１６、３２、６４、１２８の割合で互いに異なるサステインパルスの数が割り当てられる。１３３階調の輝度を得るためには、サブフィールド１区間、サブフィールド３区間及びサブフィールド８区間の間、セルをアドレッシングして、サステイン放電すればよい。
【００５９】
各サブフィールドに割り当てられるサステイン放電数は、ＡＰＣ（Ａｕｔｏｍａｔｉｃ  Ｐｏｗｅｒ  Ｃｏｎｔｒｏｌ）ステップに対応するサブフィールドの加重値に応じて可変的に決定される。すなわち、図５では、１つのフレームを８個のサブフィールドに分割する場合を例に挙げて説明したが、本発明は、それに限定されず、１つのフレームを形成するサブフィールドの数を設計仕様によって多様に変形することが可能である。例えば、１つのフレームを１２又は１６サブフィールドなどのように、８サブフィールド以上又は以下に分割して、プラズマディスプレイパネルを駆動させてもよい。
【００６０】
また、各サブフィールドに割り当てられるサステイン放電数は、ガンマ特性やパネル特性を考慮して多様に変形してもよい。例えば、サブフィールド４に割り当てられた階調度を８から６に下げ、サブフィールド６に割り当てられた階調度を３２から３４に上げてもよい。
【００６１】
図６は、分割された１つのサブフィールドに対して、上記のような構造を有する本発明に係るプラズマディスプレイパネルを駆動させるための駆動信号に関する一実施の形態をタイミング図で示すものである。
【００６２】
図６に示すように、まず、サブフィールド（ＳＦ）は、放電セル内部の電荷を初期化させるリセット区間と、画像が表示される放電セル、あるいは、画像が表示されない放電セルを選択するアドレス区間と、アドレス区間に選択された画像が表示される放電セルにサステイン放電を発生させて画像を表示するサステイン区間に区分され、リセット区間は、さらにセットアップ区間とセットダウン区間に区分される。セットアップ区間では、スキャン電極（Ｙ）に次第に上昇するセットアップ信号が印加されて、全ての放電セル内でセットアップ放電が発生して、壁電荷が蓄積される。セットダウン区間では、次第に下降するセットダウン信号を印加して、微弱な消去放電を発生させ、これによってアドレス放電が安定的に起きることができる程度の壁電荷が放電セル内部に均一に残留する。
【００６３】
また、リセット区間の前にプリリセット区間が存在して、壁電荷の充分な形成を補助し、リセット区間の前にスキャン電極（Ｙ）の電圧値が次第に減少する波形を印加する間、サステイン電極（Ｚ）に正極性の電圧を印加して、プリリセット放電を発生させる。このようなプリリセット区間は、駆動マージンを考慮すると、最初サブフィールドＳＦ１のみに存在することが好ましい。
【００６４】
アドレス区間では、スキャン信号が各スキャン電極（Ｙ）に順次印加されると同時に、アドレス電極（Ｘ）には、スキャン電極（Ｙ）に印加されるスキャン信号と同期される正極性のデータ信号が印加される。このような、スキャン信号及びデータ信号の電圧差とリセット区間の間に生成された壁電圧とが加算されて、放電セル内部ではアドレス放電が発生して、サステイン放電のための壁電荷が形成される。
【００６５】
サステイン区間には、スキャン電極（Ｙ）とサステイン電極（Ｚ）に交互にサステイン信号が印加され、アドレス放電により選択された放電セルは、各々のサステイン信号が印加される毎に、サステイン放電、すなわち表示放電が起きる。
【００６６】
一方、図６に示す波形は、本発明に係るプラズマディスプレイパネルを駆動させるための信号に対する一実施の形態であって、図６に示す波形によって、本発明は限定されない。例えば、リセット区間は、１つのフレームを構成する複数のサブフィールドのうち、少なくとも１つで省略してもよく、最初のサブフィールドのみにリセット区間が存在してもよく、プリリセット区間が省略されてもよい。
【００６７】
図６に示す駆動信号の極性及び電圧レベルは、必要に応じて変更が可能である。サステイン放電が完了した後に、壁電荷消去のための消去信号がサステイン電極（Ｚ）に印加されてもよく、サステイン信号がスキャン電極（Ｙ）とサステイン電極（Ｚ）のうちの何れか１つのみに印加されてサステイン放電を起こすシングルサステイン（Ｓｉｎｇｌｅ  ｓｕｓｔａｉｎ）駆動であってもよい。
【００６８】
１つの放電セル内の維持電極対２０２、２０３がそれぞれ複数の電極ラインで形成されることが好ましい。すなわち、第１維持電極２０２が２つの電極ライン２０２ａ、２０２ｂで形成され、第２維持電極２０３が放電セルの中心を基準に第１維持電極２０２と対称に配列され、２つの電極ライン２０３ａ、２０３ｂで形成されることが好ましい。第１、２維持電極２０２、２０３は、それぞれスキャン電極とサステイン電極であることが好ましい。これは、不透明な維持電極対２０２、２０３の使用に伴う開口率と放電拡散効率を考慮したものである。すなわち、開口率を考慮して狭い幅を有する電極ラインを使用する一方、放電拡散効率を考慮して複数の電極ラインを使用する。このとき、電極ラインの個数は、開口率と放電拡散効率を同時に考慮して決定することが好ましい。
【００６９】
図２に示すスキャン電極１１とサステイン電極１２それぞれは、複数の電極ラインで形成されることが好ましい。すなわち、スキャン電極１１が２つの電極ラインで形成され、サステイン電極１２が放電セルの中心を基準にスキャン電極１１と対称に配列され、２つの電極ラインで形成されることが好ましい。これは、不透明な維持電極対１１、１２の使用に伴う開口率と放電拡散効率を考慮したものである。すなわち、開口率を考慮して、狭い幅を有する電極ラインを使用する一方、放電拡散効率を考慮して、複数の電極ラインを使用する。このとき、電極ラインの個数は、開口率と放電拡散効率を同時に考慮して決定することが好ましい。
【００７０】
図７は、本発明に係るプラズマディスプレイパネルの維持電極構造に関する第１の実施の形態を断面図で示したものである。図７には、プラズマディスプレイパネルの１つの放電セル内での維持電極対２０２、２０３の配置構造のみを簡略に示したものであって、ブラックマトリックス、フローティング電極などの配置は省略されたものである。
【００７１】
図７に示すように、本発明の第１の実施の形態に係る維持電極対２０２、２０３は、基板上に放電セルの中心を基準に対称になるように対をなして形成される。維持電極それぞれは、放電セルを横切る少なくとも２つの電極ライン２０２ａ、２０２ｂ、２０３ａ、２０３ｂを含むライン部、放電セルの中心に最も近い電極ライン２０２ａ、２０３ａに接続され、放電セル内で放電セルの中心方向に突出する少なくとも１つの突出電極２０２ｃ、２０３ｃを含む突出部で構成される。また、図７に示すように、維持電極それぞれは、２つの電極ラインを接続する１つのブリッジ電極２０２ｄ、２０３ｄをさらに含むことが好ましい。
【００７２】
電極ライン２０２ａ、２０２ｂ、２０３ａ、２０３ｂは、放電セルを横切り、プラズマディスプレイパネルの一方向に伸びる。このような同一電極ライン上に位置する放電セルには、同一駆動パルスが供給される。本発明の第１の実施の形態に係る電極ラインは、開口率を向上させるために、狭い幅で形成する。また、放電拡散効率を向上させるために、複数の電極ライン２０２ａ、２０２ｂ、２０３ａ、２０３ｂを使用するものの、開口率を考慮して、電極ラインの個数を決定することが好ましい。
【００７３】
突出電極２０２ｃ、２０３ｃは、１つの放電セル内で放電セルの中心に最も近い電極ライン２０２ａ、２０３ａに接続され、放電セルの中心方向に突出することが好ましい。突出電極２０２ｃ、２０３ｃは、プラズマディスプレイパネルを駆動する際、放電開始電圧を下げる。電極ラインの個数が増加することに伴い、放電セルを中心に隣接する電極ライン２０２ａ、２０３ａ間の距離が遠くなる。電極ライン２０２ａ、２０３ａ間の距離によって放電開始電圧が増加するため、本発明の第１の実施の形態では、電極ライン２０２ａ、２０３ａそれぞれに接続する突出電極２０２ｃ、２０３ｃを備える。近くに形成された突出電極２０２ｃ、２０３ｃ間には、低い放電開始電圧でも放電が開始されるので、プラズマディスプレイパネルの放電開始電圧を下げることができる。ここで、放電開始電圧は、維持電極対２０２、２０３のうち、少なくとも何れか１つの電極にパルスを供給するとき、放電が始まる電圧レベルのことを意味する。
【００７４】
このような突出電極は、その大きさが極めて小さいため、製造工程の公差により、実質的に突出電極２０２ｃ、２０３ｃの電極ライン２０２ａ、２０３ａと接続する部分の幅Ｗ１は、突出電極の終端部分の幅Ｗ２より広く形成される。また、必要に応じて、その終端の幅をさらに広くしてもよい。
【００７５】
ブリッジ電極２０２ｄ、２０３ｄは、それぞれの維持電極の電極ラインを接続する。すなわち、第１ブリッジ電極２０２ｄは、第１維持電極２０２の電極ライン２０２ａ、２０２ｂを互いに接続させる。第２ブリッジ電極２０３ｄは、第２維持電極２０３の電極ライン２０３ａ、２０３ｂを互いに接続させる。ブリッジ電極２０２ｄ、２０３ｄは、突出電極を介して開始された放電が放電セルの中心から遠い電極ライン２０２ｂ、２０３ｂまで、容易に拡散されるようにする。
【００７６】
このように、本発明の第１の実施の形態に係る電極構造は、電極ラインの個数を提案することによって、開口率を向上させることができる。また、突出電極を形成することによって、放電開始電圧を下げることができる。また、ブリッジ電極と放電セルの中心から遠い電極ラインにより、放電拡散効率を増加させることができる。全体的にプラズマディスプレイパネルの発光効率を向上させることができる。すなわち、従来のプラズマディスプレイパネルの明るさと同等であるか、又はさらに明るくなるので、ＩＴＯ電極を使用しない構成が可能である。
【００７７】
図８は、本発明に係るプラズマディスプレイパネルの電極構造に関する第２の実施の形態を断面図で示したものである。本発明の第２の実施の形態に係る維持電極対４０２、４０３は、基板上に１つの放電セルにおいて対をなして形成される。維持電極対４０２、４０３それぞれは、放電セルを横切る少なくとも２つの電極ライン４０２ａ、４０２ｂ、４０３ａ、４０３ｂ、放電セルの中心に最も近い電極ライン４０２ａ、４０３ａに接続され、放電セル内で放電セルの中心方向に突出する１つの第１突出電極４０２ｃ、４０３ｃ、前記２つの電極ラインを接続する１つのブリッジ電極４０２ｄ、４０３ｄ及び放電セルの中心から最も遠い電極ライン４０２ｂ、４０３ｂに接続され、放電セル内で放電セルの中心の反対方向に突出する第２突出電極４０２ｅ、４０３ｅを含む。
【００７８】
電極ライン４０２ａ、４０２ｂ、４０３ａ、４０３ｂは放電セルを横切り、プラズマディスプレイパネルの一方向に伸びる。本発明の第２の実施の形態に係る電極ラインは、開口率を向上させるために、幅を狭く形成する。好ましくは、電極ラインの幅Ｗｌは、２０μｍ以上７０μｍ以下にして開口率を向上させるとともに、放電が円滑に起きるようにすることが好ましい。
【００７９】
図８に示すように、放電セルの中心に近い電極ライン４０２ａ、４０３ａは、第１突出電極４０２ｃ、４０３ｃと接続され、放電セルの中心に近い電極ライン４０２ａ、４０３ａは、放電が開始されると同時に、放電拡散が始まる経路を形成する。放電セルの中心から遠い電極ライン４０２ｂ、４０３ｂは、第２突出電極４０２ｅ、４０３ｅと接続される。放電セルの中心から遠い電極ライン４０２ｂ、４０３ｂは、放電セルの周辺部まで放電を拡散する役割を果たす。
【００８０】
第１突出電極４０２ｃ、４０３ｃは、１つの放電セル内で放電セルの中心に近い電極ライン４０２ａ、４０３ａに接続され、放電セルの中心方向に突出する。好ましくは、第１突出電極は、電極ライン４０２ａ、４０３ａのラインの中央に位置させる。第１突出電極４０２ｃ、４０３ｃは、互いに対応して電極ラインの中央に位置されることによって、プラズマディスプレイパネルの放電開始電圧をさらに効果的に下げることができる。
【００８１】
ブリッジ電極４０２ｄ、４０３ｄは、それぞれの維持電極の電極ラインを接続する。ブリッジ電極４０２ｄ、４０３ｄは、突出電極を介して開始された放電が放電セルの中心から遠い電極ライン４０２ｂ、４０３ｂまで、容易に拡散されるようにする。ここで、ブリッジ電極４０２ｄ、４０３ｄは、放電セル内に位置しているが、その必要に応じて、放電セルを区画する隔壁４１２上に形成されることも可能である。
【００８２】
第２突出電極４０２ｅ、４０３ｅは、１つの放電セル内で放電セルの中心から遠い電極ライン４０２ｂ、４０３ｂに接続され、放電セルの中心方向の反対方向に突出する。これにより、本発明に係るプラズマディスプレイパネルの電極構造に対する第２の実施の形態では、電極ライン４０２ｂ、４０３ｂと隔壁４１２との間の空間にも放電を拡散させることができる。すなわち、放電拡散効率を増加させることによって、プラズマディスプレイパネルの発光効率を向上させることができる。
【００８３】
第２突出電極４０２ｅ、４０３ｅは、放電セルを区画する隔壁４１２まで延びるように形成されてもよい。また、開口率を他の部分で十分に補償され得る場合、放電拡散効率をさらに向上させるために、隔壁４１２上に一部延びることも可能である。本発明の第２の実施の形態では、第２突出電極４０２ｅ、４０３ｅを電極ライン４０２ｂ、４０３ｂの中央に位置させて、放電セルの周辺部に放電を均一に拡散させるようにすることが好ましい。
【００８４】
図９は、本発明に係るプラズマディスプレイパネルの電極構造に関する第３の実施の形態を示す断面図である。図９に示す電極構造のうち、図８で述べた同じ内容に関する説明は省略する。
【００８５】
図９に示すように、本発明に係る維持電極構造に関する第３の実施の形態では、維持電極６０２、６０３それぞれに２つの第１突出電極６０２ｃ、６０３ｃが形成される。第１突出電極６０２ｃ、６０３ｃは、１つの放電セル内で放電セルの中心に近い電極ライン６０２ａ、６０３ａに接続され、放電セルの中心方向に突出する。好ましくは、第１突出電極それぞれは、電極ラインの中央（ｍｉｄ  ｐｏｉｎｔ）を基準に互いに対称になるように形成されることが好ましい。
【００８６】
維持電極それぞれに２つの第１突出電極を形成することによって、放電セルの中心での維持電極の面積が増加する。これにより、放電が開始される前には、放電セル内に空間電荷が多く形成されて、放電開始電圧がより低くなり、放電速度が速くなる。また、放電が開始された後には、壁電荷量が増加して輝度が上昇し、放電が全体放電セルに均一に拡散される。
【００８７】
図１０は、本発明に係るプラズマディスプレイパネルの維持電極構造に関する第４の実施の形態を示す断面図である。図１０に示す維持電極構造のうち、図８及び図９で述べた同じ内容に関する説明は省略する。
【００８８】
図１０に示すように、本発明に係る電極構造に関する第４の実施の形態では、維持電極７０２、７０３それぞれは、３個の第１突出電極７０２ｃ、７０３ｃが形成される。
【００８９】
第１突出電極７０２ｃ、７０３ｃは、１つの放電セル内で放電セルの中心に近い電極ライン７０２ａ、７０３ａに接続され、放電セルの中心方向に突出する。好ましくは、何れか１つの第１突出電極は、電極ラインの中央（ｍｉｄ  ｐｏｉｎｔ）に形成され、残りの２つの第１突出電極は、電極ラインの中央を基準に互いに対称になるように形成される。維持電極それぞれに３個の第１突出電極を形成することによって、図８と図９の場合より放電開始電圧がさらに低くなり、放電速度もさらに速くなる。また、放電が開始された後には、輝度がさらに上昇し、放電が全体放電セルにさらに均一に拡散される。
【００９０】
上記のように第１突出電極の数を増加させることによって、放電セルの中心で維持電極の面積が増加して、放電開始電圧が低くなり、輝度が増加する。これに対し、放電セルの中心で最も強い放電が起き、最も明るい放電光が放出するという点を考慮しなければならない。すなわち、第１突出電極の数が増加するほど、放電セルの中心から放出する光を遮断することによって、放出する光が顕著に減少する点とともに、放電開始電圧と輝度効率を同時に考慮して、最善の個数を選択して、維持電極の構造を設計することが好ましい。
【００９１】
図１１は、本発明に係るプラズマディスプレイパネルの電極構造に関する第５の実施の形態を断面図で示すものである。維持電極対８００、８１０それぞれは、放電セルを横切る３個の電極ライン８００ａ、８００ｂ、８００ｃ、８１０ａ、８１０ｂ、８１０ｃを含む。電極ラインは、放電セルを横切り、プラズマディスプレイパネルの一方向に伸びる。電極ラインは、開口率の向上のために幅が狭く形成され、好ましくは、２０μｍ〜７０μｍの幅を有するようにして開口率を向上させるとともに、放電が円滑に起きるようにする。
【００９２】
図１２は、本発明に係るプラズマディスプレイパネルの電極構造に関する第６の実施の形態を断面図で示したものである。維持電極対９００、９１０それぞれは、放電セルを横切る４個の電極ライン９００ａ、９００ｂ、９００ｃ、９００ｄ、９１０ａ、９１０ｂ、９１０ｃ、９１０ｄを含む。電極ラインは、放電セルを横切り、プラズマディスプレイパネルの一方向に伸びる。電極ラインは、開口率の向上のために幅が狭く形成され、好ましくは、２０μｍ〜７０μｍの幅を有するようにして、開口率を向上させるとともに、放電が円滑に起きるようにする。
【００９３】
それぞれの維持電極を構成する４個の電極ラインの間の間隔ｃ１、ｃ２、ｃ３は、互いに同一であるか、又は異なってもよく、電極ラインの幅ｄ１、ｄ２、ｄ３、ｄ４も互いに同一であるか、又は異なってもよい。
【００９４】
図１３は、本発明に係るプラズマディスプレイパネルの電極構造に関する第７の実施の形態を断面図で示すものである。維持電極対１０００、１０１０それぞれは、放電セルを横切る４個の電極ライン１０００ａ、１０００ｂ、１０００ｃ、１０００ｄ、１０１０ａ、１０１０ｂ、１０１０ｃ、１０１０ｄを含む。電極ラインは、放電セルを横切り、プラズマディスプレイパネルの一方向に伸びる。
【００９５】
ブリッジ電極１０２０、１０３０、１０４０、１０５０、１０６０、１０７０は、それぞれ２個の電極ラインを接続する。ブリッジ電極１０２０、１０３０、１０４０、１０５０、１０６０、１０７０は、開始された放電が放電セルの中心から遠い電極ラインまで容易に拡散されるようにする。図１３に示すように、ブリッジ電極１０２０、１０３０、１０４０、１０５０、１０６０、１０７０の位置は、互いに一致しなくてもよく、いずれか１つのブリッジ電極１０４０が隔壁１０８０上に位置してもよい。
【００９６】
図１４は、本発明に係るプラズマディスプレイパネルの電極構造に対する第８の実施の形態を断面図で示すものである。図１３に示す場合とは異なり、電極ラインを接続するブリッジ電極が同じ位置に形成されて、維持電極対１１００、１１１０それぞれに対して、４個の電極ライン１１００ａ、１１００ｂ、１１００ｃ、１１００ｄ、１１１０ａ、１１１０ｂ、１１１０ｃ、１１１０ｄを接続する１つのブリッジ電極１１２０、１１３０を形成させたものである。
【００９７】
図１５は、本発明に係るプラズマディスプレイパネルの電極構造に対する第９の実施の形態を断面図で示すものである。電極ライン１２００、１２１０それぞれに対して、閉ループを含む形態の突出電極１２２０、１２３０を形成させたものである。図１２に示すような閉ループを含む突出電極１２２０、１２３０を介して、放電開始電圧を下げるとともに開口率を向上させることができる。突出電極及び閉ループの形態は、多様に変形してもよい。
【００９８】
図１６は、本発明に係るプラズマディスプレイパネルの電極構造に対する第１０の実施の形態を断面図で示すものである。電極ライン１３００、１３１０それぞれに対して四角形状の閉ループを含む突出電極１３２０、１３３０を形成させたものである。
【００９９】
図１７Ａ及び図１７Ｂは、本発明に係るプラズマディスプレイパネルの電極構造に対する第１１の実施の形態を断面図で示すものである。電極ライン１４００、１４１０それぞれに対して放電セルの中心方向に突出した第１突出電極１４２０ａ、１４２０ｂ、１４３０ａ、１４３０ｂと放電セルの中心方向又はその反対方向に突出した第２突出電極１４４０、１４５０、１４６０、１４７０を形成させたものである。
【０１００】
図１７Ａに示すように、電極ライン１４００、１４１０それぞれに対して放電セルの中心方向に突出した２個の第１突出電極１４２０ａ、１４２０ｂ、１４３０ａ、１４３０ｂを形成させ、前記放電セルの中心方向の反対方向に突出した１つの第２突出電極１４４０、１４５０を形成させることが好ましい。又は、図１７Ｂに示すように、第２突出電極１４６０、１４７０は、前記放電セルの中心方向に突出し得る。
【０１０１】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【０１０２】
【図１】プラズマディスプレイ装置に備えられる一般的なパネルの構造を説明する図である。
【図２】本発明に係るプラズマディスプレイパネル構造に関する一実施の形態を示す斜視図である。
【図３Ａ】本発明に係るプラズマディスプレイパネルの上板パネル構造に関する実施の形態を概略的に示す断面図である。
【図３Ｂ】本発明に係るプラズマディスプレイパネルの上板パネル構造に関する実施の形態を概略的に示す断面図である。
【図３Ｃ】本発明に係るプラズマディスプレイパネルの上板パネル構造に関する実施の形態を概略的に示す断面図である。
【図４】本発明に係るプラズマディスプレイパネルの電極配置に関する一実施の形態を示す断面図である。
【図５】１つのフレーム（ｆｒａｍｅ）を複数のサブフィールド（ｓｕｂｆｉｅｌｄ）に分けて、プラズマディスプレイパネルを時分割駆動させる方法に関する一実施の形態を示すタイミング図である。
【図６】本発明に係るプラズマディスプレイパネルを駆動させるための駆動信号に関する一実施の形態を示すタイミング図である。
【図７】本発明に係る維持電極構造に関する第１の実施の形態を示す断面図である。
【図８】本発明に係る維持電極構造に関する第２の実施の形態を示す断面図である。
【図９】本発明に係る維持電極構造に関する第３の実施の形態を示す断面図である。
【図１０】本発明に係る維持電極構造に関する第４の実施の形態を示す断面図である。
【図１１】本発明に係るプラズマディスプレイパネルの電極構造に関する第５の実施の形態を示す断面図である。
【図１２】本発明に係るプラズマディスプレイパネルの電極構造に関する第６の実施の形態を示す断面図である。
【図１３】本発明に係るプラズマディスプレイパネルの電極構造に関する第７の実施の形態を示す断面図である。
【図１４】本発明に係るプラズマディスプレイパネルの電極構造に関する第８の実施の形態を示す断面図である。
【図１５】本発明に係るプラズマディスプレイパネルの電極構造に関する第９の実施の形態を示す断面図である。
【図１６】本発明に係るプラズマディスプレイパネルの電極構造に関する第１０の実施の形態を示す断面図である。
【図１７Ａ】本発明に係るプラズマディスプレイパネルの電極構造に関する第１１の実施の形態を示す断面図である。
【図１７Ｂ】本発明に係るプラズマディスプレイパネルの電極構造に関する第１１の実施の形態を示す断面図である。
【図５】
2007324119.tif 000003
【図１】
2007324119.tif 000004
【図２】
2007324119.tif 000005
【図３Ａ】
2007324119.tif 000006
【図３Ｂ】
2007324119.tif 000007
【図３Ｃ】
2007324119.tif 000008
【図４】
2007324119.tif 000009
【図６】
2007324119.tif 000010
【図７】
2007324119.tif 000011
【図８】
2007324119.tif 000012
【図９】
2007324119.tif 000013
【図１０】
2007324119.tif 000014
【図１１】
2007324119.tif 000015
【図１２】
2007324119.tif 000016
【図１３】
2007324119.tif 000017
【図１４】
2007324119.tif 000018
【図１５】
2007324119.tif 000019
【図１６】
2007324119.tif 000020
【図１７Ａ】
2007324119.tif 000021
【図１７Ｂ】
2007324119.tif 000022